(57)【要約】【課題】表示されている画像が作成された時間の前後の所定間隔の時間に作成されたページを容易に表示することが可能な表示制御装置を提供する。【解決手段】ＰＣのＣＰＵは、ディスプレイ１９２にノート画像５０を表示する。ＰＣのＨＤＤには、画像情報、ページ情報、及び時間情報が対応付けられた対応データテーブルが記憶されている。ＣＰＵは、ページ情報を選択する。ＣＰＵは、対応データテーブルにおいて、選択したページ情報に対応付けられた画像情報に基づく画像を、左ページ表示部５１及び右ページ表示部５２に表示する。ＣＰＵは、対応データテーブルにおいて、選択したページ情報に対応付けられた時間情報である選択ページ時間情報を特定する。ＣＰＵは、特定した選択ページ時間情報が示す時間の前後の所定時間の間隔の時間を示す時間タブ５５１〜５５６をノート画像５０に表示する。【選択図】図５
2015114772.tif 000002
【特許請求の範囲】
【請求項１】
表示部に画像を表示する表示制御装置であって、
画像情報と、ページ情報と、前記画像情報が作成された時間の時間情報とを対応付けた対応データを記憶する記憶部と、
前記ページ情報を選択するページ選択手段と、
前記対応データにおいて前記ページ選択手段によって選択された前記ページ情報に対応付けられた前記画像情報に基づく画像を、前記表示部に表示する画像表示手段と、
前記対応データにおいて前記ページ選択手段によって選択された前記ページ情報に対応付けられた前記時間情報である選択ページ時間情報を特定する時間特定手段と、
前記時間特定手段によって特定された前記選択ページ時間情報が示す時間の前後の所定間隔の時間を示すタブである少なくとも１つの時間タブを、前記表示部に表示する時間タブ表示手段と、
前記時間タブ表示手段によって表示された前記少なくとも１つの前記時間タブのうち、１つの前記時間タブを選択する時間タブ選択手段と
を備え、
前記ページ選択手段は、前記対応データを参照し、前記時間タブ選択手段によって選択された前記時間タブが示す時間の前記ページ情報を選択することを特徴とする表示制御装置。
【請求項２】
前記記憶部が記憶する前記対応データには、前記画像情報と前記ページ情報と前記時間情報とキーワード情報とが対応付けられ、
前記表示制御装置は、
前記対応データを参照し、前記時間特定手段によって特定された前記選択ページ時間情報が示す時間の前後の所定期間内の前記時間情報に対応付けられた前記キーワード情報に基づくキーワードを示すタブである少なくとも１つのキーワードタブを、前記表示部に表示するキーワードタブ表示手段と、
前記キーワードタブ表示手段によって表示された前記少なくとも１つのキーワードタブのうち、１つの前記キーワードタブを選択するキーワードタブ選択手段と
を備え、
前記ページ選択手段は、前記対応データを参照し、前記キーワードタブ選択手段によって選択された前記キーワードタブが示すキーワードの前記ページ情報を選択することを特徴とする請求項１に記載の表示制御装置。
【請求項３】
前記時間タブ表示手段は、複数の前記時間タブを表示する場合に、前記選択ページ時間情報が示す時間から離れるほど、前記時間タブ相互間の時間の間隔を大きくして表示することを特徴とする請求項１又は２に記載の表示制御装置。
【請求項４】
前記時間タブ表示手段は、複数の前記時間タブを表示する場合に、前記選択ページ時間情報が示す時間からの近さに応じて前記複数の時間タブ相互間の外観を異ならせて表示することを特徴とする請求項１から３のいずれかに記載の表示制御装置。
【請求項５】
前記キーワードタブ表示手段は、複数の前記キーワードタブを表示する場合に、前記選択ページ時間情報が示す時間からの近さに応じて前記複数のキーワードタブ相互間の外観を異ならせて表示することを特徴とする請求項２に記載の表示制御装置。
【請求項６】
前記時間タブ表示手段は、前記選択ページ時間情報が示す時間から離れた時間の前記時間タブほど、色を薄くすることを特徴とする請求項４に記載の表示制御装置。
【請求項７】
前記時間タブ表示手段は、前記選択ページ時間情報が示す時間から離れた時間の前記時間タブほど、表示を小さくすることを特徴とする請求項４又は６に記載の表示制御装置。
【請求項８】
前記キーワードタブ表示手段は、前記選択ページ時間情報が示す時間から離れた時間の前記キーワードタブほど、色を薄くすることを特徴とする請求項５に記載の表示制御装置。
【請求項９】
前記キーワードタブ表示手段は、前記選択ページ時間情報が示す時間から離れた時間のキーワードタブほど、表示を小さくすることを特徴とする請求項５又は８に記載の表示制御装置。
【発明の詳細な説明】
【技術分野】
【０００１】
本発明は、画像を表示部に表示する表示制御装置に関する。
【背景技術】
【０００２】
従来、画像を表示部に表示する装置が提案されている。例えば、特許文献１に記載のインターネットブラウザの表示装置では、見開き２ページのブック状の画像を表示する。ブック状の画像の周囲には、ジャンプカーソルが表示される。ジャンプカーソルには、ページ番号が表示される。ユーザがジャンプカーソルを選択すると、ジャンプカーソルのページ番号のページが表示される。
【先行技術文献】
【特許文献】
【０００３】
【特許文献１】特表２００４−５０７８０８号公報
【発明の概要】
【発明が解決しようとする課題】
【０００４】
ユーザは、例えば、閲覧しているページの３日前に作成した画像を見たいと考える場合など、閲覧している画像から所定間隔の時間離れたページを閲覧したいと考える場合がある。しかしながら、従来では、ユーザがジャンプカーソルを選択してページ番号を指定できるものの、閲覧している画像から所定間隔の時間離れたページを表示することはできなかった。
【０００５】
本発明の目的は、表示されている画像が作成された時間の前後の所定間隔の時間に作成されたページを容易に表示することが可能な表示制御装置を提供することである。
【課題を解決するための手段】
【０００６】
本発明に係る表示制御装置は、表示部に画像を表示する表示制御装置であって、画像情報と、ページ情報と、前記画像情報が作成された時間の時間情報とを対応付けた対応データを記憶する記憶部と、前記ページ情報を選択するページ選択手段と、前記対応データにおいて前記ページ選択手段によって選択された前記ページ情報に対応付けられた前記画像情報に基づく画像を、前記表示部に表示する画像表示手段と、前記対応データにおいて前記ページ選択手段によって選択された前記ページ情報に対応付けられた前記時間情報である選択ページ時間情報を特定する時間特定手段と、前記時間特定手段によって特定された前記選択ページ時間情報が示す時間の前後の所定間隔の時間を示すタブである少なくとも１つの時間タブを、前記表示部に表示する時間タブ表示手段と、前記時間タブ表示手段によって表示された前記少なくとも１つの前記時間タブのうち、１つの前記時間タブを選択する時間タブ選択手段とを備え、前記ページ選択手段は、前記対応データを参照し、前記時間タブ選択手段によって選択された前記時間タブが示す時間の前記ページ情報を選択する。
【０００７】
この場合、画像表示手段は、ページ選択手段によって選択されたページ情報に対応付けられた画像情報に基づく画像を表示部に表示する。また、時間タブ表示手段は、時間特定手段によって特定された選択ページ時間情報が示す時間の前後の所定間隔の時間を示す時間タブを表示部に表示する。すなわち、画像表示手段によって表示部に表示された画像が作成された時間の前後の所定間隔の時間タブが表示される。時間タブ選択手段によって時間タブが選択されると、ページ選択手段は時間タブが示す時間のページ情報を選択する。そして、画像表示手段は、選択されたページ情報に対応付けられた画像を表示部に表示する。このように、表示制御装置は、時間タブを選択することで、表示されている画像が作成された時間の前後の所定間隔の時間に作成されたページを容易に表示することができる。よって、ユーザの利便性が向上する。
【０００８】
前記表示制御装置において、前記記憶部が記憶する前記対応データには、前記画像情報と前記ページ情報と前記時間情報とキーワード情報とが対応付けられ、前記表示制御装置は、前記対応データを参照し、前記時間特定手段によって特定された前記選択ページ時間情報が示す時間の前後の所定期間内の前記時間情報に対応付けられた前記キーワード情報に基づくキーワードを示すタブである少なくとも１つのキーワードタブを、前記表示部に表示するキーワードタブ表示手段と、前記キーワードタブ表示手段によって表示された前記少なくとも１つのキーワードタブのうち、１つの前記キーワードタブを選択するキーワードタブ選択手段とを備え、前記ページ選択手段は、前記対応データを参照し、前記キーワードタブ選択手段によって選択された前記キーワードタブが示すキーワードの前記ページ情報を選択してもよい。
【０００９】
この場合、画像表示手段は、ページ選択手段によって選択されたページ情報に対応付けられた画像情報に基づく画像を表示部に表示する。また、キーワードタブ表示手段は、時間特定手段によって特定された選択ページ時間情報が示す時間の前後の所定期間内の時間情報に対応付けられたキーワード情報に基づくキーワードのキーワードタブを表示部に表示する。すなわち、画像表示手段によって表示部に表示された画像が作成された時間の前後の所定期間内のキーワードタブが表示される。キーワードタブ選択手段によってキーワードタブが選択されると、ページ選択手段はキーワードタブが示すキーワードのページ情報を選択する。そして、画像表示手段は、選択されたページ情報に対応付けられた画像を表示部に表示する。このように、表示制御装置は、キーワードタブを選択することで、表示されている画像が作成された時間の前後の所定期間内に作成された特定のキーワードのページを容易に表示することができる。よって、ユーザの利便性が向上する。
【００１０】
前記表示制御装置において、前記時間タブ表示手段は、複数の前記時間タブを表示する場合に、前記選択ページ時間情報が示す時間から離れるほど、前記時間タブ相互間の時間の間隔を大きくして表示してもよい。この場合、ユーザは、例えば、１日間隔等の等間隔で時間タブが表示される場合に比べて、所望のページをより早く選択することができる。よって、ユーザの利便性が向上する。
【００１１】
前記表示制御装置において、前記時間タブ表示手段は、複数の前記時間タブを表示する場合に、前記選択ページ時間情報が示す時間からの近さに応じて前記複数の時間タブ相互間の外観を異ならせて表示してもよい。この場合、選択ページ時間情報が示す時間からの近さに応じて複数の時間タブ相互間の外観が異なるので、ユーザは、表示部に表示された画像が作成された時間に近い時間タブ又は、離れた時間タブを容易に選択することができる。よって、ユーザの利便性が向上する。
【００１２】
前記表示制御装置において、前記キーワードタブ表示手段は、複数の前記キーワードタブを表示する場合に、前記選択ページ時間情報が示す時間からの近さに応じて前記複数のキーワードタブ相互間の外観を異ならせて表示してもよい。この場合、選択ページ時間情報が示す時間からの近さに応じて複数のキーワードタブ相互間の外観が異なるので、ユーザは、表示部に表示された画像が作成された時間に近いキーワードタブ又は、離れた時間のキーワードタブを容易に選択することができる。よって、ユーザの利便性が向上する。
【００１３】
前記表示制御装置において、前記時間タブ表示手段は、前記選択ページ時間情報が示す時間から離れた時間の前記時間タブほど、色を薄くしてもよい。この場合、ユーザは、色が薄いことを確認して、表示部に表示された画像が作成された時間から離れた時間タブであることを容易に認識できる。よって、ユーザの利便性が向上する。
【００１４】
前記表示制御装置において、前記時間タブ表示手段は、前記選択ページ時間情報が示す時間から離れた時間の前記時間タブほど、表示を小さくしてもよい。この場合、ユーザは、時間タブの表示が小さいことを確認して、表示部に表示された画像が作成された時間から離れた時間タブであることを容易に認識できる。よって、ユーザの利便性が向上する。
【００１５】
前記表示制御装置において、前記キーワードタブ表示手段は、前記選択ページ時間情報が示す時間から離れた時間の前記キーワードタブほど、色を薄くしてもよい。この場合、ユーザは、色が薄いことを確認して、表示部に表示された画像が作成された時間から離れた時間のキーワードタブであることを容易に認識できる。よって、ユーザの利便性が向上する。
【００１６】
前記表示制御装置において、前記キーワードタブ表示手段は、前記選択ページ時間情報が示す時間から離れた時間のキーワードタブほど、表示を小さくしてもよい。この場合、ユーザは、時間タブの表示が小さいことを確認して、表示部に表示された画像が作成された時間から離れた時間のキーワードタブであることを容易に認識できる。よって、ユーザの利便性が向上する。
【図面の簡単な説明】
【００１７】
【図１】手書入力システム１の概要を示す図である。
【図２】読取装置２及びＰＣ１９の電気的構成を示すブロック図である。
【図３】対応データテーブル９５のデータ構成図である。
【図４】紙媒体１００の用紙１１１の平面図である。
【図５】ディスプレイ１９２に表示されたノート画像５０を示す図である。
【図６】メイン処理のフローチャートである。
【図７】表示処理のフローチャートである。
【図８】図７の続きのフローチャートである。
【図９】変形例に係るノート画像５０１を示す図である。
【発明を実施するための形態】
【００１８】
以下、本発明の実施形態について、図面を参照して説明する。図１を参照して、本実施形態に係る手書入力システム１の概要を説明する。以下の説明では、図１の左上側、右下側、上側、下側、右上側、左下側を、各々、読取装置２の左側、右側、前側、後側、上側、下側と定義して説明する。また読取装置２の左右方向及び上下方向を、夫々、Ｘ軸方向及びＹ軸方向と定義して説明する。
【００１９】
図１に示すように、手書入力システム１は、読取装置２、電子ペン３、ＰＣ１９等を主に備える。読取装置２は、折り畳んで携行可能な、薄型軽量の手書き入力装置である。手書入力システム１では、ユーザは電子ペン３を用いて、読取装置２に固定された紙媒体１００の用紙１１１に線画を筆記する。線画は、線、文字、数値、記号、及び図形等を含む。読取装置２は、電子ペン３の位置を検出する。読取装置２は、経時的に検出された電子ペン３の複数の位置に基づいて、電子ペン３の軌跡を特定する。ＰＣ１９は、読取装置２で特定された電子ペン３の軌跡のデータ（以下、ストロークデータという。）に基づいて、用紙１１１に筆記された線画を電子化した画像情報を作成し、記憶する。
【００２０】
読取装置２は、左右一対の左読取装置２Ｌ、右読取装置２Ｒ、及びカバー４を構成の主体とする。左読取装置２Ｌ及び右読取装置２Ｒは、矩形薄板状であり、カバー４の前面に左右方向に見開き可能に配置されている。左読取装置２Ｌ及び右読取装置２Ｒは、フラットケーブル（図示略）によって電気的に接続されている。カバー４は、袋状の袋部４Ａを左側に備える。左読取装置２Ｌは、袋部４Ａ内に差し込まれることでカバー４に着脱可能に装着される。右読取装置２Ｒは、両面テープ及び粘着性を有する樹脂フィルム等によって、カバー４の右前面に貼り付けられる。
【００２１】
読取装置２の前面には紙媒体１００が着脱可能に装着される。紙媒体１００は、左右方向に見開き可能な冊子状である。紙媒体１００では、一対の表紙（表表紙１１０Ｌ及び裏表紙１１０Ｒ）と複数の用紙１１１が、各々の縁部の一部で綴じられている。一例として、紙媒体１００はＡ５サイズのノートである。紙媒体１００は、表表紙１１０Ｌ及び左側の用紙１１１が左読取装置２Ｌの前面に載置され、且つ、裏表紙１１０Ｒ及び右側の用紙１１１が右読取装置２Ｒの前面に載置されるように、読取装置２に装着される。本実施形態では、紙媒体１００は、両面テープ及び粘着性を有する樹脂フィルム等によって、紙媒体１００が読取装置２に位置決めされた状態で装着される。ユーザは電子ペン３を用いて紙媒体１００の用紙１１１に線画を筆記できる。
【００２２】
電子ペン３は、公知の電磁誘導式の電子ペンであり、筒体３０、芯体３１、コイル３２、可変容量コンデンサ３３、基板３４、コンデンサ３５、及びインク収納部３６を主に備える。筒体３０は、円柱状の形状を有し、芯体３１の一部、コイル３２、可変容量コンデンサ３３、基板３４、コンデンサ３５、及びインク収納部３６を内部に収容する。芯体３１は、電子ペン３の先端部（図１では下側）に設けられている。芯体３１は図示外の弾性部材によって、電子ペン３の先端側に付勢されている。芯体３１の先端部は、筒体３０の外部に突出している。芯体３１の後端側（図１では上側）は、インクが収納されているインク収納部３６に接続されている。インク収納部３６は、芯体３１にインクを供給する。ユーザが電子ペン３を用いて用紙１１１に筆記すると、インクによって用紙１１１に線画が形成される。
【００２３】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３はコイル３２に並列に接続され、周知の共振（同調）回路を構成する。
【００２４】
ＰＣ１９は、汎用のノート型のパーソナルコンピュータである。ＰＣ１９は、入力部１９１及びディスプレイ１９２を備える。入力部１９１は、各種指示を入力するために使用される。ディスプレイ１９２は、画像を表示する。手書入力システム１では、ＰＣ１９としてパーソナルコンピュータの代わりに周知の情報端末（タブレットＰＣ、及びスマートフォン等）が用いられてもよい。
【００２５】
図２を参照して、手書入力システム１の電気的構成を説明する。まず、読取装置２の電気的構成と、読取装置２がストロークデータを取得する原理の概要とを説明する。読取装置２は、センサ基板７Ｌ，７Ｒ、メイン基板２０、及びセンサ制御基板２８，２９を備える。センサ基板７Ｌ，７Ｒは、夫々、左右一対の左読取装置２Ｌ、右読取装置２Ｒ（図１参照）内に設けられる。
【００２６】
メイン基板２０は、ＣＰＵ２１、ＲＡＭ２２、フラッシュＲＯＭ２３、及び無線通信部２４を備えている。ＲＡＭ２２、フラッシュＲＯＭ２３、及び無線通信部２４は、ＣＰＵ２１に電気的に接続されている。ＣＰＵ２１は、読取装置２の制御を行う。ＲＡＭ２２は、演算データ等の各種データを一時的に記憶する。フラッシュＲＯＭ２３には、ＣＰＵ２１が読取装置２を制御するために実行する各種プログラム、及び各種情報が記憶されている。また、フラッシュＲＯＭ２３にはストロークデータ等が記憶される。無線通信部２４は、外部の電子機器と近距離無線通信を実行するためのコントローラである。
【００２７】
センサ基板７Ｌ、７Ｒには、Ｘ軸方向及びＹ軸方向の各々に細長いループコイルが多数配列されている。センサ基板７Ｌは、センサ制御基板２８のＡＳＩＣ２８Ａに電気的に接続されている。ＡＳＩＣ２８Ａは、電子ペン３による筆記動作がセンサ基板７Ｌ上で行われた場合に、筆記動作に基づいて座標情報を検出し、ストロークデータを作成する処理を実行する。ストロークデータには、軌跡上の複数の位置を示す複数の座標情報が含まれる。センサ基板７Ｒは、センサ制御基板２９のＡＳＩＣ２９Ａに電気的に接続されている。ＡＳＩＣ２９Ａは、電子ペン３による筆記動作がセンサ基板７Ｒ上で行われた場合に、筆記動作に基づいて座標情報を検出し、ストロークデータを作成する処理を実行する。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２８】
センサ基板７Ｌ，７Ｒ上で電子ペン３による筆記動作が行われた場合にストロークデータが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて、読取装置２に固定された紙媒体１００の用紙１１１に線画を筆記する動作を行うと、電子ペン３はセンサ基板７Ｌ，７Ｒに近接する。そのため、電子ペン３の共振回路は電磁誘導によって共振し、誘導磁界を生じる。
【００２９】
次に、ＣＰＵ２１はＡＳＩＣ２８Ａ，２９Ａを制御して、センサ基板７Ｌ，７Ｒの各々のループコイルからの磁界の発生を停止させる。センサ基板７Ｌ，７Ｒの各々のループコイルは、電子ペン３の共振回路から発せられる誘導磁界を受信する。ＣＰＵ２１はＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつ実行することで、受信電流に基づいて電子ペン３の位置が座標情報として検出される。
【００３０】
さらに、電子ペン３を用いて用紙１１１に線画を筆記する動作が行われている状態では、芯体３１に筆圧が付与される。コイル３２のインダクタンスは、芯体３１に付与される筆圧に応じて変化する。これにより、芯体３１に付与される筆圧に応じて、電子ペン３の共振回路の共振周波数が変化する。ＣＰＵ２１は、共振周波数の変化（位相変化）を検出して、電子ペン３に付与された筆圧を特定する。つまりＣＰＵ２１は、特定した筆圧によって、紙媒体１００の用紙１１１に線画が筆記されている状態であるか否かを判断できる。ＣＰＵ２１は、用紙１１１に線画が筆記されていると判断した場合、電子ペン３の軌跡を示すストロークデータを取得し、ＲＡＭ２２又はフラッシュＲＯＭ２３に記憶する。
【００３１】
次に、ＰＣ１９の電気的構成について説明する。ＰＣ１９は、ＣＰＵ４１、ハードディスクドライブ（ＨＤＤ）４２、ＲＡＭ４３、無線通信部４４、入力回路４５、出力回路４６、入力部１９１、及びディスプレイ１９２を主に備える。ＣＰＵ４１は、ＰＣ１９の制御を行う。ＣＰＵ４１は、ＨＤＤ４２、ＲＡＭ４３、無線通信部４４、入力回路４５、及び出力回路４６と電気的に接続している。ＨＤＤ４２には、メイン処理（図６参照）を実行するためのメインプログラム等、ＣＰＵ４１が実行する各種プログラムが記憶される。
【００３２】
ＰＣ１９は、図示外の媒体読取装置（例えば、ＣＤ−ＲＯＭドライブ）を備える。ＰＣ１９は、記憶媒体（例えば、ＣＤ−ＲＯＭ）に記憶されているプログラムを、媒体読取装置で読み取ってＨＤＤ４２にインストールできる。また、ＰＣ１９に接続されている外部機器（図示外）、又はネットワークからプログラムを受信して、ＨＤＤ４２にインストールしてもよい。
【００３３】
ＲＡＭ４３は、種々の一時データを記憶する。無線通信部４４は、外部の電子機器と無線通信を実行するためのコントローラである。入力回路４５は、ＣＰＵ４１へ入力部１９１（例えば、マウス、キーボード、タッチパネルなど）からの指示を送る制御を行う。出力回路４６は、ＣＰＵ４１からの指示に応じてディスプレイ１９２に画像を表示する制御を行う。
【００３４】
ＣＰＵ４１は、無線通信部４４を介して読取装置２との間で近距離無線通信を実行する。読取装置２のフラッシュＲＯＭ２３に記憶されているストロークデータは、読取装置２からＰＣ１９に転送される。ＣＰＵ４１は、読取装置２から転送されたストロークデータをＲＡＭ４３又はＨＤＤ４２に記憶する。なお、読取装置２からＰＣ１９に対してストロークデータが転送される場合の通信は、無線通信に限定されず有線通信であってもよい。
【００３５】
ＣＰＵ４１は、ＲＡＭ４３又はＨＤＤ４２に記憶したストロークデータに基づく文字列を特定することも可能である。この場合、ＣＰＵ４１は、Optical Character Recognition（ＯＣＲ）処理を実行する。
【００３６】
図３及び図４を参照し、対応データテーブル９５、及び紙媒体１００の用紙１１１の一例について説明する。図３に示すように、対応データテーブル９５には、ページ情報、画像情報、キーワード情報、時間情報が対応付けられて登録されている。図４は、見開き２ページ分の用紙１１１を示している。左側のページが紙媒体１００の８ページ目の用紙１１１、右側のページが紙媒体１００の９ページ目の用紙１１１である。このため、左側の用紙１１１の下部には８ページを示す数字「８」が記載され、右側の用紙１１１の下部には９ページを示す数字「９」が記載されている。
【００３７】
左右の用紙１１１には、キーワード領域１２１及びノート領域１２２が縦方向に並んで配置されている。ノート領域１２２の下部には、保存チェックボックス１２３が配置されている。ノート領域１２２は、ユーザが電子ペン３を用いて自由に線画を筆記する為の領域である。キーワード領域１２１は、ノート領域１２２に筆記された線画について、ユーザが任意に記載したキーワードを筆記する為の領域である。保存チェックボックス１２３は、キーワード領域１２１及びノート領域１２２に筆記された内容を確定させる場合に、チェックマークが記入される領域である。また、保存チェックボックス１２３の位置は、ページ毎に異なり、８ページ目の保存チェックボックス１２３の用紙１１１における位置は、７ページ目の保存チェックボックス１２３の用紙１１１における位置より右側にある。
【００３８】
読取装置２のＣＰＵ２１は、キーワード領域１２１、ノート領域１２２、保存チェックボックス１２３の夫々に筆記された線画のストロークデータを、領域毎に取得してフラッシュＲＯＭ２３に記憶する。
【００３９】
ＰＣ１９のＣＰＵ４１は、読取装置２からストロークデータを取得し、ＲＡＭ４３に記憶する。ＣＰＵ４１は、ＲＡＭ４３に記憶したストロークデータのうち、保存チェックボックス１２３に筆記されたチェックマークの位置に基づき、ページ情報を特定する。ＣＰＵ４１は、ＲＡＭ４３に記憶したストロークデータのうち、ノート領域１２２に筆記された線画のストロークデータに基づき、線画を電子化して画像情報を作成する。画像情報は、線画をデシタル画像によって示すデータファイルである。画像情報としてＪＰＥＧファイル、ＧＩＦファイル、ＰＮＧファイル、ＢＭＰファイルが挙げられる。本実施形態では、画像情報はＪＰＥＧファイルであるとする。
【００４０】
ＣＰＵ４１は、ＲＡＭ４３に記憶したストロークデータのうち、キーワード領域１２１に筆記された線画のストロークデータに基づき、ＯＣＲ処理によって文字列を、キーワード情報として特定する。また、ＣＰＵ４１は、画像情報を作成した時間の時間情報を作成する。本実施形態では、時間情報は日付であるとする。ＣＰＵ４１は、ページ情報、画像情報、キーワード情報、及び時間情報を対応付けて対応データテーブル９５に登録する。
【００４１】
なお、画像情報を作成した時間である時間情報とは、読取装置２のＣＰＵ２１によってストロークデータが取得された時点の時間の情報であってもよいし、ＰＣ１９のＣＰＵ４１がストロークデータに基づいて対応データテーブル９５に登録するための画像情報を作成した時点の時間であってもよい。
【００４２】
図５を参照して、対応データテーブル９５に基づいてディスプレイ１９２に表示されるノート画像５０について説明する。ノート画像５０には、左ページ表示部５１、右ページ表示部５２、タブ５４、前ボタン５９１、及び後ボタン５９２が設けられている。左ページ表示部５１と右ページ表示部５２とは、見開きページが開かれたノート状の外観を有する。左ページ表示部５１は、見開き２ページの用紙１１１の左側のページに記載されたストロークデータに基づく画像情報の画像が表示される領域である。右ページ表示部５２は、左ページ表示部５１の右側に配置されている。右ページ表示部５２は、見開き２ページの用紙１１１の右側のページに記載されたストロークデータに基づく画像情報の画像が表示される領域である。本実施形態では、左ページ表示部５１には偶数ページの画像が表示され、右ページ表示部５２には奇数ページの画像が表示される。
【００４３】
タブ５４は、時間タブ５５とキーワードタブ５６とを含む。時間タブ５５は、選択ページ時間情報（後述）が示す時間の前後の所定間隔の時間を示すタブである。時間タブ５５は、時間タブ５５１〜５５６を含む。時間タブ５５１〜５５３は、左ページ表示部５１の下側に配置されている。時間タブ５５１〜５５３には、夫々、「前日」、「３日前」、「１週間前」と表示されている。時間タブ５５１〜５５３は、夫々、右から左に向けて並んでいる。時間タブ５５４〜５５６は、右ページ表示部５２の下側に配置されている。時間タブ５５４〜５５６には、夫々、「翌日」、「３日後」、「１週間後」と表示されている。
時間タブ５５４〜５５６は、夫々、左から右に向けて並んでいる。ユーザの入力部１９１の操作によって、時間タブ５５１〜５５６のいずれか１つが選択されると、ＣＰＵ４１は、ユーザの選択に応じた時間のページをノート画像５０に表示する。
【００４４】
キーワードタブ５６は、対応データテーブル９５において、選択ページ時間情報（後述）が示す時間の前後の所定期間内の時間情報に対応付けられたキーワード情報に基づくキーワードを示すタブである。キーワードタブ５６は、キーワードタブ５６１〜５６９を含む。キーワードタブ５６１〜５６５は、左ページ表示部５１の上側に配置されている。キーワードタブ５６１〜５６５には、夫々、「商談」、「調査」、「ＴｏＤｏ」、「会議」、「出張」と表示されている。キーワードタブ５６１〜５６５は、夫々、右から左に向けて並んでいる。キーワードタブ５６６〜５６９は、右ページ表示部５２の上側に配置されている。キーワードタブ５６６〜５６９には、夫々、「実験」、「ＴｏＤｏ」、「予定」、「調査」と表示されている。キーワードタブ５６６〜５６９は、夫々、左から右に向けて並んでいる。なお、左ページ表示部５１の上側に配置されるキーワードタブ５６１〜５６５は、左ページ表示部５１に表示されているページより前のページのキーワードに基づいて表示される。右ページ表示部５２の上側に配置されるキーワードタブ５６６〜５６９は、右ページ表示部５２に表示されているページより後のページのキーワードに基づいて表示される。ユーザの入力部１９１の操作によって、キーワードタブ５６１〜５６９のいずれか１つが選択されると、ＣＰＵ４１は、ユーザの選択に応じたキーワードのページをノート画像５０に表示する。
【００４５】
時間タブ５５２の下側には、前ボタン５９１が表示されている。前ボタン５９１には、「ｐｒｅｖｉｏｕｓ」と表示されている。ユーザの入力部１９１の操作によって前ボタン５９１が選択されると、ＣＰＵ４１は、ノート画像５０に表示しているページの前の見開き２ページを表示する。時間タブ５５５の下側には、後ボタン５９２が表示されている。後ボタン５９２には、「ｎｅｘｔ」と表示されている。ユーザの入力部１９１の操作によって後ボタン５９２が選択されると、ＣＰＵ４１は、ノート画像５０に表示しているページの後の見開き２ページを表示する。
【００４６】
図６〜図８を参照して、ＰＣ１９のＣＰＵ４１によって実行されるメイン処理について説明する。ＣＰＵ４１は、ユーザによる入力部１９１の操作によって、ノート画像５０を表示する指示が入力された場合に、ＨＤＤ４２に記憶されたメインプログラムに基づいて動作することで、メイン処理を開始する。
【００４７】
ＣＰＵ４１は、変数Ｐを「０」に設定する（Ｓ１１）。なお、変数Ｐは、Ｓ１１、Ｓ２１、Ｓ２２、Ｓ２４、及びＳ２６において設定される。後述するが、対応データにおいて、設定された変数Ｐに対応するページ情報「Ｐページ」に対応付けられた画像情報に基づく画像が左ページ表示部５１に表示され、ページ情報「（Ｐ＋１）ページ」に対応付けられた画像情報に基づく画像が右ページ表示部５２に表示される。すなわち、ＣＰＵ４１は、変数Ｐを設定することで、Ｐページのページ情報と、（Ｐ＋１）ページのページ情報とを選択している。以下の説明では、一例としてＳ２１、Ｓ２２、Ｓ２４、及びＳ２６のいずれかにおいて、変数Ｐが「８」に設定され、図５に示すノート画像５０を表示する場合を具体例として説明する。
【００４８】
ＣＰＵ４１は、ノート画像５０を初期化する（Ｓ１２）。初期化されたノート画像５０は、左ページ表示部５１、右ページ表示部５２、前ボタン５９１、及び後ボタン５９２が表示された画像である。次いで、ＣＰＵ４１は、対応データテーブル９５においてページ情報「Ｐページ」及び「（Ｐ＋１）ページ」に対応付けられた時間情報である選択ページ時間情報を特定する（Ｓ１３）。具体例では、対応データテーブル９５においてページ情報「８ページ」に対応付けられた時間情報「２０１３／１０／１０」とページ情報「９ページ」に対応付けられた時間情報「２０１３／１０／１１」とが、選択ページ時間情報として特定される（Ｓ１３）。ＣＰＵ４１は特定した選択時間ページ情報をＲＡＭ４３に記憶する。
【００４９】
ＣＰＵ４１は、対応データテーブル９５を参照し、選択ページ時間情報が示す時間の前後の所定期間内の時間情報に対応付けられたキーワード情報を特定する（Ｓ１４）。本実施形態では一例として、所定期間は１週間であるとする。具体例では、選択ページ時間情報「２０１３／１０／１０」の前の１週間の時間情報に対応付けられたキーワード情報「商談」、「調査」、「ＴｏＤｏ」、「会議」、及び「出張」が特定される。また、選択ページ時間情報「２０１３／１０／１１」の後の１週間の時間情報に対応付けられたキーワード情報「実験」、「ＴｏＤｏ」、「予定」、及び「調査」が特定される。ＣＰＵ４１は、特定したキーワード情報をＲＡＭ４３に記憶する。
【００５０】
次いで、ＣＰＵ４１は、対応データテーブル９５を参照し、選択ページ時間情報が示す時間の前後の所定間隔の時間の時間情報に対応付けられたページ情報の有無を特定する（Ｓ１５）。本実施形態では一例として、所定間隔は１日、３日、１週間であるとする。具体例では、選択ページ時間情報「２０１３／１０／１０」の１週間前、３日前、及び１日前には、夫々、ページ情報「３ページ」、「５ページ」、「７ページ」が存在する。また、選択ページ時間情報「２０１３／１０／１１」の１日後、３日後、及び１週間後には、夫々、ページ情報「１０ページ」、「１１ページ」、「１３ページ」が存在する。このため、ＣＰＵ４１は、選択ページ時間情報が示す時間の前後の１日、３日、１週間の夫々のページ情報が存在することを特定する。ＣＰＵ４１は、夫々のページ情報が存在することを示す情報をＲＡＭ４３に記憶する。次いで、ＣＰＵ４１は、表示処理を実行する（Ｓ１６）。
【００５１】
図７を参照して、表示処理について説明する。表示処理は、画像情報に基づく画像、時間タブ５５、及びキーワードタブ５６を、ディスプレイ１９２に表示する処理である。まず、ＣＰＵ４１は、対応データテーブル９５においてページ情報「Ｐページ」に対応つけられた画像情報に基づいて、画像を左ページ表示部５１に表示する（Ｓ３１）。次いで、ＣＰＵ４１は、対応データテーブル９５においてページ情報「（Ｐ＋１）ページ」に対応付けられた画像情報に基づいて、画像を右ページ表示部５２に表示する（Ｓ３２）。具体例では、対応データテーブル９５（図３参照）のページ情報「８ページ」、「９ページ」に対応付けられた画像情報「Ｐａｇｅ８．ｊｐｇ」、「Ｐａｇｅ９．ｊｐｇ」に基づいて、図５に示すように、左ページ表示部５１と右ページ表示部５２とに画像が表示される（Ｓ３１及びＳ３２）。表示される画像は、用紙１１１の８ページ目と９ページ目に記入された線画（図４参照）と同様である。また左ページ表示部５１の下部にはページ情報「８ページ」に基づいて数字「８」が表示され、右ページ表示部５２の下部にはページ情報「９ページ」に基づいて数字「９」が表示される。
【００５２】
次いで、ＣＰＵ４１は、Ｓ１４において特定したキーワード情報の中に、選択ページ時間情報が示す時間の１週間前〜３日前のページのキーワード情報があるか否かを判断する（Ｓ３３）。選択ページ時間情報が示す時間の１週間前〜３日前のページのキーワード情報がない場合（Ｓ３３：ＮＯ）、ＣＰＵ４１は、後述するＳ３５の処理を実行する。選択ページ時間情報が示す時間の１週間前〜３日前のページのキーワード情報がある場合（Ｓ３３：ＹＥＳ）、ＣＰＵ４１は、左ページ表示部５１の上側に、１週間前〜３日前のページのキーワード情報に基づくキーワードを示すキーワードタブ５６を表示する（Ｓ３４）。このとき、ＣＰＵ４１は、後述するＳ３６で表示するキーワードタブ５６の色より薄い色でキーワードタブ５６を表示する。
【００５３】
次いで、ＣＰＵ４１は、Ｓ１４において特定したキーワード情報の中に、選択ページ時間情報が示す時間の２日前〜１日前のページのキーワード情報があるか否かを判断する（Ｓ３５）。選択ページ時間情報が示す時間の２日前〜１日前のページのキーワード情報がない場合（Ｓ３５：ＮＯ）、ＣＰＵ４１は、後述するＳ３７の処理を実行する。選択ページ時間情報が示す時間の２日前〜１日前のページのキーワード情報がある場合（Ｓ３５：ＹＥＳ）、ＣＰＵ４１は、左ページ表示部５１の上側に、２日前〜１日前のページのキーワード情報に基づくキーワードを示すキーワードタブ５６を表示する（Ｓ３６）。このとき、ＣＰＵ４１は、Ｓ３４で表示するキーワードタブ５６の色より濃い色でキーワードタブ５６を表示する。また、ＣＰＵ４１は、Ｓ３４で表示したキーワードタブ５６より右側にキーワードタブ５６を表示する。
【００５４】
次いで、ＣＰＵ４１は、Ｓ１４において特定したキーワード情報の中に、選択ページ時間情報が示す時間の３日後〜１週間後のページのキーワード情報があるか否かを判断する（Ｓ３７）。選択ページ時間情報が示す時間の３日後〜１週間後のページのキーワード情報がない場合（Ｓ３７：ＮＯ）、ＣＰＵ４１は、後述するＳ３９の処理を実行する。選択ページ時間情報が示す時間の３日後〜１週間後のページのキーワード情報がある場合（Ｓ３７：ＹＥＳ）、ＣＰＵ４１は、右ページ表示部５２の上側に、３日後〜１週間後のページのキーワード情報に基づくキーワードを示すキーワードタブ５６を表示する（Ｓ３８）。このとき、ＣＰＵ４１は、後述するＳ４０で表示するキーワードタブ５６の色より薄い色でキーワードタブ５６を表示する。
【００５５】
次いで、ＣＰＵ４１は、Ｓ１４において特定したキーワード情報の中に、選択ページ時間情報が示す時間の１日後〜２日後のページのキーワード情報があるか否かを判断する（Ｓ３９）。選択ページ時間情報が示す時間の１日後〜２日後のページのキーワード情報がない場合（Ｓ３９：ＮＯ）、ＣＰＵ４１は、後述するＳ４１（図８参照）の処理を実行する。選択ページ時間情報が示す時間の１日後〜２日後のページのキーワード情報がある場合（Ｓ３９：ＹＥＳ）、ＣＰＵ４１は、右ページ表示部５２の上側に、１日後〜２日後のページのキーワード情報に基づくキーワードを示すキーワードタブ５６を表示する（Ｓ４０）。このとき、ＣＰＵ４１は、Ｓ３８で表示するキーワードタブ５６の色より濃い色でキーワードタブ５６を表示する。ＣＰＵ４１は、Ｓ３８で表示したキーワードタブ５６より左側にキーワードタブ５６を表示する。
【００５６】
具体例では、図５に示すように、１週間前〜３日前のページのキーワード情報に基づくキーワード「ＴｏＤｏ」、「会議」、「出張」を示すキーワードタブ５６３，５６４，５６５が表示される（Ｓ３４）。２日前〜１日前のページのキーワード情報に基づくキーワード「商談」、「調査」を示すキーワードタブ５６１，５６２が表示される（Ｓ３６）。３日後〜１週間後のページのキーワード情報に基づくキーワード「ＴｏＤｏ」、「予定」、「調査」を示すキーワードタブ５６７，５６８，５６９が表示される（Ｓ３８）。１日後〜２日後のページのキーワード情報に基づくキーワード「実験」を示すキーワードタブ５６６が表示される（Ｓ４０）。キーワードタブ５６３，５６４，５６５，５６７，５６８，５６９の色は、キーワードタブ５６１，５６２，５６６の色より薄い。
【００５７】
図８に示すように、ＣＰＵ４１は、Ｓ１５（図６参照）の結果、選択ページ時間情報が示す時間の１週間前の時間情報に対応付けられたページ情報があるか否かを判断する（Ｓ４１）。１週間前の時間情報に対応付けられたページ情報がない場合（Ｓ４１：ＮＯ）、ＣＰＵ４１は後述するＳ４３を実行する。１週間前の時間情報に対応付けられたページ情報がある場合（Ｓ４１：ＹＥＳ）、ＣＰＵ４１は、左ページ表示部５１の下側の左部に、「１週間前」の時間タブ５５３を表示する（Ｓ４２）。このとき、ＣＰＵ４１は、後述するＳ４４及びＳ４６で表示する時間タブ５５２と時間タブ５５１の色より薄い色で時間タブ５５３を表示する。
【００５８】
次いで、ＣＰＵ４１は、Ｓ１５の結果、選択ページ時間情報が示す時間の３日前の時間情報に対応付けられたページ情報があるか否かを判断する（Ｓ４３）。３日前の時間情報に対応付けられたページ情報がない場合（Ｓ４３：ＮＯ）、ＣＰＵ４１は後述するＳ４５を実行する。３日前の時間情報に対応付けられたページ情報がある場合（Ｓ４３：ＹＥＳ）、ＣＰＵ４１は、左ページ表示部５１の下側の中央部に、「３日前」の時間タブ５５２を表示する（Ｓ４４）。このとき、ＣＰＵ４１は、Ｓ４２で表示する時間タブ５５３の色より濃く、後述するＳ４６で表示する時間タブ５５１の色より薄い色で時間タブ５５２を表示する。
【００５９】
次いで、ＣＰＵ４１は、Ｓ１５の結果、選択ページ時間情報が示す時間の１日前の時間情報に対応付けられたページ情報があるか否かを判断する（Ｓ４５）。１日前の時間情報に対応付けられたページ情報がない場合（Ｓ４５：ＮＯ）、ＣＰＵ４１は後述するＳ４７を実行する。１日前の時間情報に対応付けられたページ情報がある場合（Ｓ４５：ＹＥＳ）、ＣＰＵ４１は、左ページ表示部５１の下側の右部に、「前日」の時間タブ５５１を表示する（Ｓ４６）。このとき、ＣＰＵ４１は、Ｓ４２及びＳ４４で表示する時間タブ５５３と時間タブ５５２の色より濃い色で時間タブ５５１を表示する。
【００６０】
次いで、ＣＰＵ４１は、Ｓ１５の結果、選択ページ時間情報が示す時間の１週間後の時間情報に対応付けられたページ情報があるか否かを判断する（Ｓ４７）。１週間後の時間情報に対応付けられたページ情報がない場合（Ｓ４７：ＮＯ）、ＣＰＵ４１は後述するＳ４９を実行する。１週間後の時間情報に対応付けられたページ情報がある場合（Ｓ４７：ＹＥＳ）、ＣＰＵ４１は、右ページ表示部５２の下側の右部に、「１週間後」の時間タブ５５６を表示する（Ｓ４８）。このとき、ＣＰＵ４１は、後述するＳ５０及びＳ５２で表示する時間タブ５５５と時間タブ５５４の色より薄い色で時間タブ５５６を表示する。
【００６１】
次いで、ＣＰＵ４１は、Ｓ１５の結果、選択ページ時間情報が示す時間の３日後の時間情報に対応付けられたページ情報があるか否かを判断する（Ｓ４９）。３日後の時間情報に対応付けられたページ情報がない場合（Ｓ４９：ＮＯ）、ＣＰＵ４１は後述するＳ５１を実行する。３日後の時間情報に対応付けられたページ情報がある場合（Ｓ４９：ＹＥＳ）、ＣＰＵ４１は、右ページ表示部５２の下側の中央部に、「３日後」の時間タブ５５５を表示する（Ｓ５０）。このとき、ＣＰＵ４１は、Ｓ４８で表示する時間タブ５５６の色より濃く、後述するＳ５２で表示する時間タブ５５４の色より薄い色で時間タブ５５５を表示する。
【００６２】
次いで、ＣＰＵ４１は、Ｓ１５の結果、選択ページ時間情報が示す時間の１日後の時間情報に対応付けられたページ情報があるか否かを判断する（Ｓ５１）。１日後の時間情報に対応付けられたページ情報がない場合（Ｓ５１：ＮＯ）、ＣＰＵ４１は表示処理を終了する。１日後の時間情報に対応付けられたページ情報がある場合（Ｓ５１：ＹＥＳ）、ＣＰＵ４１は、右ページ表示部５２の下側の左部に、「翌日」の時間タブ５５４を表示する（Ｓ５２）。このとき、ＣＰＵ４１は、Ｓ４８及びＳ５０で表示する時間タブ５５６と時間タブ５５５の色より濃い色で時間タブ５５４を表示する。
【００６３】
具体例では、Ｓ１５の結果、選択ページ時間情報が示す時間の１週間前、３日前、１日前、１日後、３日後、１週間後の夫々に対応付けられたページ情報がある。このため、図５に示すように時間タブ５５１〜５５６が表示される（Ｓ４２、Ｓ４４、Ｓ４６、Ｓ４８、Ｓ５０、及びＳ５２）。時間タブ５５の色は、時間タブ５５１，５５２，５５３の順番で薄くなり、時間タブ５５４，５５５，５５６の順番で薄くなる。
【００６４】
次いで、ＣＰＵ４１は表示処理を終了し、図６に示すように、時間タブ５５のうちの１つ、又は、キーワードタブ５６のうちの１つが選択されたか否かを判断する（Ｓ１７）。時間タブ５５及びキーワードタブ５６のいずれもが選択されていない場合（Ｓ１７：ＮＯ）、ＣＰＵ４１は、前ボタン５９１が選択されたか否かを判断する（Ｓ１８）。前ボタン５９１が選択されていない場合（Ｓ１８：ＮＯ）、ＣＰＵ４１は、後ボタン５９２が選択されたか否かを判断する（Ｓ１９）。後ボタン５９２が選択されていない場合（Ｓ１９：ＮＯ）、ＣＰＵ４１は、処理をＳ１７に戻す。
【００６５】
ユーザが入力部１９１を操作して、時間タブ５５の内の１つ、又は、キーワードタブ５６のうちの１つを選択すると、ＣＰＵ４１は、時間タブ５５のうちの１つ、又は、キーワードタブ５６のうちの１つが選択されたと判断する（Ｓ１７：ＹＥＳ）。ＣＰＵ４１は、選択されたタブ５４に対応するページが偶数ページであるか否かを判断する（Ｓ２０）。偶数ページである場合（Ｓ２０：ＹＥＳ）、変数Ｐをタブに対応するページの値に設定する（Ｓ２１）。次いで、ＣＰＵ４１は処理をＳ１２に戻す。
【００６６】
例えば、ＣＰＵ４１が、時間タブ５５４（図５参照）が選択されたと判断したとする（Ｓ１７：ＹＥＳ）。時間タブ５５４は、「翌日」の時間タブ５５であるので、ＣＰＵ４１は、対応データテーブル９５を参照し、選択ページ時間情報「２０１３／１０／１１」の１日後の「２０１３／１０／１２」に対応付けられたページ情報「１０ページ」を特定し、偶数ページであると判断する（Ｓ２０：ＹＥＳ）。よって、ＣＰＵ４１は、変数Ｐを「１０」に設定する（Ｓ２１）。ＣＰＵ４１は、処理をＳ１２に戻し、Ｓ１２〜Ｓ１６の処理を実行する。このため、左ページ表示部５１に１０ページの画像情報に基づく画像が表示され（Ｓ３１）、右ページ表示部５２に１１ページの画像情報に基づく画像が表示される（Ｓ３２）。これによって、図５の見開き２ページの画像が、、ユーザによる入力部１９１の操作によって選択された、１日後の画像を含む見開き２ページの画像（すなわち、１０ページと１１ページの画像）に切り替わる。また、左ページ表示部５１と右ページ表示部５２とに表示されたページの前後の所定期間内のページのキーワード情報に基づくキーワードタブ５６が表示される（Ｓ３３〜Ｓ４０）。また、左ページ表示部５１と右ページ表示部５２とに表示されたページの前後の所定間隔の時間の時間タブ５５が表示される（Ｓ４１〜Ｓ５２）。
【００６７】
また、例えば、図５に示すノート画像５０が表示されている状態で、ＣＰＵ４１が、キーワードタブ５６４が選択されたと判断したとする（Ｓ１７：ＹＥＳ）。キーワードタブ５６４は、対応データテーブル９５（図３参照）において「２０１３／１０／４」のキーワード情報「会議」に基づいて表示されている。このため、ＣＰＵ４１は、対応データテーブル９５を参照し、キーワード情報「会議」に対応付けられたページ情報「４ページ」を特定し、偶数ページであると判断する（Ｓ２０：ＹＥＳ）。よって、ＣＰＵ４１は、変数Ｐを「４」に設定する。ＣＰＵ４１は、処理をＳ１２に戻し、Ｓ１２〜Ｓ１６の処理を実行する。このため、左ページ表示部５１に４ページの画像情報に基づく画像が表示され（Ｓ３１）、右ページ表示部５２に５ページの画像情報に基づく画像が表示される（Ｓ３２）。これによって、図５の見開き２ページの画像が、ユーザによる入力部１９１の操作によって選択された、キーワード「会議」の画像を含む見開き２ページの画像（すなわち、４ページと５ページの画像）に切り替わる。また、左ページ表示部５１と右ページ表示部５２とに表示されたページの前後の所定期間内のページのキーワード情報に基づくキーワードタブ５６が表示される（Ｓ３３〜Ｓ４０）。また、左ページ表示部５１と右ページ表示部５２とに表示されたページの前後の所定間隔の時間の時間タブ５５が表示される（Ｓ４１〜Ｓ５２）。
【００６８】
ＣＰＵ４１は、選択されたタブ５４に対応するページが偶数ページでない場合（Ｓ２０：ＮＯ）、変数Ｐを、「（タブ５４に対応するページ）−１」に設定する（Ｓ２２）。次いで、ＣＰＵ４１は処理をＳ１２に戻す。なお、ＣＰＵ４１が変数Ｐを「（タブ５４に対応するページ）−１」に設定するのは、Ｓ３１において偶数ページを左ページ表示部５１に表示し、Ｓ３２において奇数ページを右ページ表示部５２に表示するためである。
【００６９】
例えば、図５に示すノート画像５０が表示されている状態で、ＣＰＵ４１が、時間タブ５５２が選択されたと判断したとする（Ｓ１７：ＹＥＳ）。時間タブ５５２は、「３日前」の時間タブ５５であるので、ＣＰＵ４１は、対応データテーブル９５において選択ページ時間情報「２０１３／１０／１０」の３日前の「２０１３／１０／７」に対応付けられたページ情報「５ページ」を特定し、奇数ページであると判断する（Ｓ２０：ＮＯ）。時間タブ５５２に対応するページが「５ページ」であるので、ＣＰＵ４１は、変数Ｐを「４」に設定し（Ｓ２２）、処理をＳ１２に戻す。これによって、ノート画像５０の表示が切り替わる。
【００７０】
ユーザが入力部１９１を操作して前ボタン５９１を選択すると、ＣＰＵ４１は、前ボタン５９１が選択されたと判断し（Ｓ１８：ＹＥＳ）、対応データテーブル９５を参照し、Ｐページの前にページがあるか否かを判断する（Ｓ２３）。ページがない場合（Ｓ２３：ＮＯ）、ＣＰＵ４１は、処理をＳ１７に戻す。
【００７１】
ページがある場合（Ｓ２３：ＹＥＳ）、ＣＰＵ４１は、変数Ｐを「Ｐ−２」に設定する（Ｓ２４）。次いで、ＣＰＵ４１は処理をＳ１２に戻す。これによって、図５の見開き２ページの画像が、１つ前の見開き２ページの画像（すなわち、６ページと７ページの画像）に切り替わる（Ｓ３１及びＳ３２）。また、キーワードタブ５６と時間タブ５５とが表示される（Ｓ３３〜Ｓ５２）。なお、Ｓ２４においてＣＰＵ４１が変数Ｐを「Ｐ−２」に設定するのは、Ｓ３１において偶数ページを左ページ表示部５１に表示し、Ｓ３２において奇数ページを右ページ表示部５２に表示するためである。
【００７２】
ユーザが入力部１９１を操作して後ボタン５９２を選択すると、ＣＰＵ４１は、後ボタン５９２が選択されたと判断し（Ｓ１９：ＹＥＳ）、対応データテーブル９５を参照し、「Ｐ＋１」ページの後にページがあるか否かを判断する（Ｓ２５）。ページがない場合（Ｓ２５：ＮＯ）、ＣＰＵ４１は、処理をＳ１７に戻す。
【００７３】
ページがある場合（Ｓ２５：ＹＥＳ）、ＣＰＵ４１は、変数Ｐを「Ｐ＋２」に設定する（Ｓ２６）。次いで、ＣＰＵ４１は処理をＳ１２に戻す。これによって、図５の見開き２ページの画像が、１つ後の見開き２ページの画像（すなわち、１０ページと１１ページの画像）に切り替わる（Ｓ３１及びＳ３２）。また、キーワードタブ５６と時間タブ５５とが表示される（Ｓ３３〜Ｓ５２）。なお、Ｓ２６においてＣＰＵ４１が変数Ｐを「Ｐ＋２」に設定するのは、Ｓ３１において偶数ページを左ページ表示部５１に表示し、Ｓ３２において奇数ページを右ページ表示部５２に表示するためである。
【００７４】
以上のように、本実施形態のメイン処理が実行される。本実施形態では、ＣＰＵ４１は、対応データテーブル９５において、Ｓ１１、Ｓ２１、Ｓ２２、Ｓ２４、及びＳ２６が実行されることで選択されるページ情報「Ｐページ」と「（Ｐ＋１）ページ」に対応付けられた画像情報に基づく画像をディスプレイ１９２に表示する（Ｓ３１及びＳ３２）。また、ＣＰＵ４１は、Ｓ１３において特定された選択ページ時間情報が示す時間の前後の所定時間の時間を示す時間タブ５５をディスプレイ１９２に表示する（Ｓ４２、Ｓ４４、Ｓ４６、Ｓ４８、Ｓ５０、及びＳ５２）。すなわち、ＣＰＵ４１は、Ｓ３１及びＳ３２において表示部に表示した画像が作成された時間の前後の所定時間の時間タブ５５をディスプレイ１９２に表示する。ＣＰＵ４１は、時間タブ５５が選択されると（Ｓ１７：ＹＥＳ）、時間タブ５５が示す時間のページ情報を選択する（Ｓ２１、Ｓ２２）。そして、ＣＰＵ４１は、選択されたページ情報に対応付けられた画像情報に基づく画像をディスプレイ１９２に表示する（Ｓ３１及びＳ３２）。このように、ユーザは、時間タブ５５を選択することで、表示されている画像が作成された時間の前後の所定間隔の時間に作成されたページを容易に表示させることができる。よって、ユーザの利便性が向上する。
【００７５】
また、時間タブ５５１「前日」と時間タブ５５２「３日前」との時間の間隔は、２日である。時間タブ５５２「３日前」と時間タブ５５３「１週間前」との時間の間隔は、４日である。同様に、時間タブ５５４と時間タブ５５５との間隔は、２日である。時間タブ５５５と時間タブ５５６との時間の間隔は、４日である。このように、ＣＰＵ４１は、複数の時間タブ５５を表示する場合に、選択ページ時間情報が示す時間から離れるほど、時間タブ５５相互間の時間の間隔を大きくして表示している。この場合、ユーザは、例えば、１日間隔等の等間隔で時間タブ５５が表示される場合に比べて、所望のページをより早く選択することができる。すなわち、例えば、３日前、２日前、１日前、１日後、２日後、３日後の時間タブ５５が表示される場合において１０日前のページを表示する場合、ユーザは「３日前」の時間タブ５５を３回操作した後、「１日前」の時間タブ５５を１回操作する合計４回の動作を行う必要がある。本実施形態の場合では、１０日前のページを表示する場合、ユーザは、「１週間前」の時間タブ５５３を操作し、「３日前」の時間タブ５５２を操作する合計２回の操作を行えばよい。このように、ユーザが所望のページをより早く選択することができるので、ユーザの利便性が向上する。
【００７６】
また、例えば、ユーザは、数日前の会議の時のメモ（対応データテーブル９５におけるページ情報「４ページ」、時間情報「２０１２／１０／４」の画像）のページを見たいと思った場合に、正確に日付を覚えていないことがある。この場合、例えば、ユーザは、おおよそ３日前であろうと考え、３日前の時間タブ５５２を選択して、３日前のページを表示させる。３日前のページを見れば、その前の日くらいだということを思い出し、ユーザは、１日前の時間タブ５５１を操作して、所望する会議の時のメモを表示させることができる。このように、選択ページ時間情報が示す時間から離れるほど、時間タブ５５相互間の時間の間隔を大きくして表示してあるので、ユーザは、おおよその日数だけ前後のページを表示させた後、１日前の時間タブ５５１又は１日後の時間タブ５５４を操作するなどして、所望のページを表示させることができる。よって、ユーザの利便性が向上する。
【００７７】
また、ＣＰＵ４１は、複数の時間タブ５５を表示する場合に、選択ページ時間情報が示す時間からの近さに応じて複数の時間タブ５５相互間の外観を異ならせて表示している。具体的には、本実施形態では、ＣＰＵ４１は、選択ページ時間情報が示す時間から離れた時間の時間タブ５５ほど、色を薄くしている（Ｓ４２、Ｓ４４、Ｓ４６、Ｓ４８、Ｓ５０、及びＳ５２）。外観が異なるので、ユーザは、ディスプレイ１９２に表示された画像が作成された時間に近い時間タブ５５又は、離れた時間タブ５５を容易に選択することができる。例えば、ユーザは、時間タブ５５の色が薄いことを確認して、ディスプレイ１９２に表示された画像から離れた時間の時間タブ５５であることを容易に認識し、選択することができる。よって、ユーザの利便性が向上する。
【００７８】
また、ＣＰＵ４１は、Ｓ１３において特定された選択ページ時間情報が示す時間の前後の所定期間内の時間情報に対応付けられたキーワード情報に基づくキーワードのキーワードタブ５６をディスプレイ１９２に表示する（Ｓ３４、Ｓ３６、Ｓ３８、及びＳ４０）。すなわち、ＣＰＵ４１は、Ｓ３１及びＳ３２においてディスプレイ１９２に表示した画像が作成された時間の前後の所定期間内のキーワードタブ５６をディスプレイ１９２に表示する。ＣＰＵ４１は、キーワードタブ５６が選択されると（Ｓ１７：ＹＥＳ）、キーワードタブ５６が示すキーワードのページ情報を選択する（Ｓ２１及びＳ２２）。そして、ＣＰＵ４１は、選択されたページ情報に対応付けられた画像情報に基づく画像をディスプレイ１９２に表示する（Ｓ３１及びＳ３２）。このように、ユーザは、キーワードタブ５６を選択することで、表示されている画像が作成された時間の前後の所定期間内の時間に作成された特定のキーワードのページを容易に表示させることができる。よって、ユーザの利便性が向上する。
【００７９】
また、表示されるキーワードタブ５６は、Ｓ３１及びＳ３２においてディスプレイ１９２に表示された画像が作成された時間の前後の所定期間内のキーワードタブ５６に限られている。このため、対応データテーブル９５におけるキーワード情報に基づくキーワードタブ５６が全て表示される場合に比べて、ユーザが、表示されているページの近くのキーワードタブ５６を選択し易くなる。よって、ユーザの利便性が向上する。
【００８０】
また、ＣＰＵ４１は、複数のキーワードタブ５６を表示する場合に、選択ページ時間情報が示す時間からの近さに応じて複数のキーワードタブ５６相互間の外観を異ならせて表示している。具体的には、本実施形態では、ＣＰＵ４１は、選択ページ時間情報が示す時間から離れた時間のキーワードタブ５６ほど、色を薄くしている（Ｓ３４、Ｓ３６、Ｓ３８、Ｓ４０）。外観が異なるので、ユーザは、ディスプレイ１９２に表示された画像が作成された時間に近いキーワードタブ５６又は、離れたキーワードタブ５６を容易に選択することができる。例えば、ユーザは、キーワードタブ５６の色が薄いことを確認して、ディスプレイ１９２に表示された画像が作成された時間から離れたキーワードタブ５６であることを容易に認識し、選択することができる。よって、ユーザの利便性が向上する。
【００８１】
上記実施形態において、ＰＣ１９は本発明の「表示制御装置」の一例である。ディスプレイ１９２は本発明の「表示部」の一例である。対応データテーブル９５は本発明の「対応データ」の一例である。ＨＤＤ４２は本発明の「記憶部」の一例である。Ｓ２０、Ｓ２１、Ｓ２２の処理を行うＣＰＵ４１は本発明の「ページ選択手段」の一例である。Ｓ３１及びＳ３２の処理を行うＣＰＵ４１は本発明の「画像表示手段」の一例である。Ｓ１３の処理を行うＣＰＵ４１は本発明の「時間特定手段」の一例である。Ｓ４２、Ｓ４４、Ｓ４６、Ｓ４８、Ｓ５０、及びＳ５２の処理を行うＣＰＵ４１は本発明の「時間タブ表示手段」の一例である。Ｓ３４、Ｓ３６、Ｓ３８、Ｓ４０の処理を行うＣＰＵ４１は本発明の「キーワードタブ表示手段」の一例である。Ｓ１７の処理を行うＣＰＵ４１は本発明の「時間タブ選択手段」及び「キーワードタブ選択手段」の一例である。
【００８２】
なお、本発明は上記の実施形態に限定されるものではなく、種々の変更が可能である。例えば、ＣＰＵ４１は、複数の時間タブ５５を表示する場合に、選択ページ時間情報が示す時間からの近さに応じて複数の時間タブ５５相互間の外観を異ならせて表示すればよく、表示態様が本実施形態と異なっていてもよい。例えば、図９に示す変形例に係るノート画像５０１のように、ＣＰＵ４１は、Ｓ４２、Ｓ４４、Ｓ４６、Ｓ４８、Ｓ５０、及びＳ５２の処理において、選択ページ時間情報が示す時間から離れた時間の時間タブ５５ほど、表示を小さくして表示してもよい。この場合、ユーザは、時間タブ５５の表示が小さいことを確認して、ディスプレイ１９２に表示された画像が作成された時間から離れた時間タブ５５であることを容易に認識できる。よって、ユーザの利便性が向上する。なお、ＣＰＵ４１は、選択ページ時間情報が示す時間からの近さに応じて複数の時間タブ５５相互間の外観を異ならせて表示しなくてもよい。
【００８３】
また、ＣＰＵ４１は、複数のキーワードタブ５６を表示する場合に、選択ページ時間情報が示す時間からの近さに応じて複数のキーワードタブ５６相互間の外観を異ならせて表示すればよく、表示態様が本実施形態と異なっていてもよい。例えば、図９に示す変形例に係るノート画像５０１のように、ＣＰＵ４１は、Ｓ３４、Ｓ３６、Ｓ３８、及びＳ４０において、選択ページ時間情報が示す時間から離れた時間のキーワードタブ５６ほど、表示を小さくして表示してもよい。この場合、ユーザは、キーワードタブ５６の表示が小さいことを確認して、ディスプレイ１９２に表示された画像が作成された時間から離れたキーワードタブ５６であることを容易に認識できる。よって、ユーザの利便性が向上する。なお、ＣＰＵ４１は、選択ページ時間情報が示す時間からの近さに応じて複数のキーワードタブ５６相互間の外観を異ならせて表示しなくてもよい。
【００８４】
また、ＣＰＵ４１は、表示する複数の時間タブ５５相互間の時間の間隔を、本実施形態と異なるように表示してもよい。例えば、時間タブ５５相互間の時間の間隔を、１日間隔などの等間隔にしてもよい。また、時間情報は日付であったが、これに限定されない。例えば、時刻、月、年等であってもよい。また、表示される時間タブ５５は１つであってもよい。また、表示されるキーワードタブ５６は、１つであってもよい。また、キーワードタブ５６は表示されなくてもよい。この場合、対応データテーブル９５において、キーワード情報が登録されていなくてもよい。また、見開き２ページの画像が表示されたが、１ページ分の画像のみが表示されてもよい。また、ユーザによる手書き入力に基づいて画像情報が作成されなくてもよい。例えば、画像情報に基づく画像が写真の画像であり、時間情報が写真が撮影された時間であるなど、画像情報は本実施形態とは異なる方法によって作成された種々の画像であってもよい。
【符号の説明】
【００８５】
１９    ＰＣ
４１  ＣＰＵ
４２    ＨＤＤ
５０，５０１    ノート画像
５１    左ページ表示部
５２    右ページ表示部
５４    タブ
５５，５５１〜５５６    時間タブ
５６，５６１〜５６９    キーワードタブ
９５    対応データテーブル
１９２    ディスプレイ
【図１】
2015114772.tif 000003
【図２】
2015114772.tif 000004
【図３】
2015114772.tif 000005
【図４】
2015114772.tif 000006
【図６】
2015114772.tif 000007
【図７】
2015114772.tif 000008
【図８】
2015114772.tif 000009
【図９】
2015114772.tif 000010
【図５】
2015114772.tif 000011